(57)【要約】【課題】腹腔鏡下で用いることができ、軟組織を傷付けづらく、軟組織を安定的に操作することを支援できる手術器具を提供する。【解決手段】手術器具１０は、長手方向に対する軸剛性が曲げ剛性よりも大きいな材質で形成された片持ちの第１梁と、第１梁に重ねて設けられ、長手方向に対する軸剛性が曲げ剛性よりも大きいな材質で形成された片持ちの第２梁と、吸引管に接続され、第１梁及び第２梁を覆うフィルムと、第１梁に設けられた１又は複数の吸引部と、を備え、吸引管は、液体又は気体を吸う第１ポンプに接続され、第１ポンプにより陰圧が加えられ、フィルムにより覆われた第１梁及び第２梁は、陰圧の大きさによって硬さが調整される。【選択図】図１
2019146785.tif 000002
【特許請求の範囲】
【請求項１】
長手方向に対する軸剛性が曲げ剛性よりも大きい材質で形成された片持ちの第１梁と、
前記第１梁に重ねて設けられ、長手方向に対する軸剛性が曲げ剛性よりも大きい材質で形成された片持ちの第２梁と、
吸引管に接続され、前記第１梁及び前記第２梁を覆うフィルムと、
前記第１梁に設けられた１又は複数の吸引部と、を備え、
前記吸引管は、液体又は気体を吸う第１ポンプに接続され、前記第１ポンプにより陰圧が加えられ、
前記フィルムにより覆われた前記第１梁及び前記第２梁は、前記陰圧の大きさによって硬さが調整される、
手術器具。
【請求項２】
前記第１梁及び前記第２梁は、長手方向に対して実質的に伸縮しない、
請求項１に記載の手術器具。
【請求項３】
前記第２梁に設けられ、前記第２梁をたわみ変形させるアクチュエータをさらに備える、請求項１又は２に記載の手術器具。
【請求項４】
前記アクチュエータは、第２ポンプにより加えられる液体又は気体の圧力によって動作する、
請求項３に記載の手術器具。
【請求項５】
前記アクチュエータは、前記第２梁に沿って延伸する蛇腹状の筒構造を有し、前記筒構造の延伸方向についての伸縮が、前記筒構造の径方向についての伸縮よりも容易である、
請求項３又は４に記載の手術器具。
【請求項６】
前記１又は複数の吸引部は、前記吸引管と異なる経路で前記第１ポンプに接続され、前記第１ポンプにより陰圧が加えられる、
請求項１から５のいずれか一項に記載の手術器具。
【請求項７】
前記１又は複数の吸引部は、液体又は気体を吸う第３ポンプに接続され、前記第３ポンプにより陰圧が加えられる、
請求項１から５のいずれか一項に記載の手術器具。
【請求項８】
前記吸引管は、前記陰圧を保った状態で前記第１ポンプから切り離し可能である、
請求項１から７のいずれか一項に記載の手術器具。
【請求項９】
鉗子によって把持される把持部をさらに備える、
請求項１から８のいずれか一項に記載の手術器具。
【請求項１０】
前記１又は複数の吸引部は、吸引口がメッシュで覆われている、
請求項１から９のいずれか一項に記載の手術器具。
【発明の詳細な説明】
【技術分野】
【０００１】
本発明は、手術器具に関し、特に軟組織の操作に用いる手術器具に関する。
【背景技術】
【０００２】
従来、患者の外科手術において、様々な形状の鉗子が用いられてきた。鉗子は、臓器等の組織を把持したり、抑えたり、牽引したりするために用いられている。
【０００３】
下記特許文献１には、患者の開腹手術において、腹膜下の臓器を損傷させないように、腹膜だけを吸引し把持することを目的とした医療用吸引式鉗子が記載されている。
【先行技術文献】
【特許文献】
【０００４】
【特許文献１】特開２００８−０１１８６８号公報
【発明の概要】
【発明が解決しようとする課題】
【０００５】
従来用いられている一般の鉗子によって肝臓等の軟組織を把持する場合、軟組織に損傷を与えないように安定的に把持することが難しい。しかしながら、患者の腹腔鏡手術を行う場合のように、用いることのできる器具が制限されている状況で、肝臓等の軟組織を安定的に把持したり、抑えたり、牽引したりしたいという要求がある。特許文献１には、患者の開腹手術において用いられる吸引式鉗子が記載されているが、このような器具は腹腔鏡手術において使用することが難しい。
【０００６】
腹腔鏡手術においては、鋏型鉗子が広く用いられているが、鋏型鉗子で軟組織をつまむと、組織を傷付けてしまうおそれがあった。また、軟組織は、力を加えると容易に変形するため、鋏型鉗子では、軟組織を把持したり、抑えたり、牽引したりといった操作が安定的に行えないことがあった。
【０００７】
そこで、本発明は、腹腔鏡下で用いることができ、軟組織を傷付けづらく、軟組織を安定的に操作することを支援できる手術器具を提供する。
【課題を解決するための手段】
【０００８】
本発明の一態様に係る手術器具は、長手方向に対する軸剛性が曲げ剛性よりも大きいな材質で形成された片持ちの第１梁と、第１梁に重ねて設けられ、長手方向に対する軸剛性が曲げ剛性よりも大きいな材質で形成された片持ちの第２梁と、吸引管に接続され、第１梁及び第２梁を覆うフィルムと、第１梁に設けられた１又は複数の吸引部と、を備え、吸引管は、液体又は気体を吸う第１ポンプに接続され、第１ポンプにより陰圧が加えられ、フィルムにより覆われた第１梁及び第２梁は、陰圧の大きさによって硬さが調整される。
【０００９】
この態様によれば、長手方向に対する軸剛性が曲げ剛性よりも大きいな第１梁及び第２梁を、軟組織に沿うように配置して、第１ポンプにより加えられる陰圧によって第１梁及び第２梁を硬化させるとともに、吸引部によって軟組織を吸引することで、軟組織の損傷を抑えつつ、軟組織を安定的に操作することができる。
【００１０】
上記態様において、第１梁及び第２梁は、長手方向に対して実質的に伸縮しなくてもよい。
【００１１】
この態様によれば、第１ポンプにより加えられる陰圧によって第１梁及び第２梁をより硬く硬化させることができ、軟組織をよりしっかりと把持することができる。
【００１２】
上記態様において、第２梁に設けられ、第２梁をたわみ変形させるアクチュエータをさらに備えてもよい。
【００１３】
この態様によれば、軟組織に沿うように第２梁をたわみ変形させることで、第２梁と重畳して設けられた第１梁も軟組織に沿うようにたわみ変形され、第１梁に設けられた吸引部によって軟組織を確実に吸引できるようになる。
【００１４】
上記態様において、アクチュエータは、第２ポンプにより加えられる液体又は気体の圧力によって動作してもよい。
【００１５】
この態様によれば、アクチュエータが液体又は気体の圧力によって動作することで、腹腔鏡下で使用した場合であっても、腹腔内を汚染するおそれが低くなる。
【００１６】
上記態様において、アクチュエータは、第２梁に沿って延伸する蛇腹状の筒構造を有し、筒構造の延伸方向についての伸縮が、筒構造の径方向についての伸縮よりも容易であってよい。
【００１７】
この態様によれば、筒構造の伸長によって第２梁をたわみ変形させることで、アクチュエータの構造を単純にすることができ、手術器具を小型化できる。
【００１８】
上記態様において、１又は複数の吸引部は、吸引管と異なる経路で第１ポンプに接続され、第１ポンプにより陰圧が加えられてもよい。
【００１９】
この態様によれば、吸引部が、吸引管と異なる経路で第１ポンプに接続されることで、吸引部から血液等の液体が吸引される場合であっても、第１梁及び第２梁の界面に血液等が入り込むことが無くなり、第１梁及び第２梁の硬度が一定に保たれる。
【００２０】
上記態様において、１又は複数の吸引部は、液体又は気体を吸う第３ポンプに接続され、第３ポンプにより陰圧が加えられてもよい。
【００２１】
この態様によれば、吸引部が、第１ポンプと別体の第３ポンプに接続されることで、第１梁及び第２梁の硬さ調整と独立して吸引部の吸引力を調整することができる。
【００２２】
上記態様において、吸引管は、陰圧を保った状態で第１ポンプから切り離し可能であってもよい。
【００２３】
この態様によれば、手術器具を第１ポンプから切り離した状態で軟組織に吸着させることができ、腹腔等の狭い空間であっても複数の手術器具によって軟組織を操作することができる。
【００２４】
上記態様において、鉗子によって把持される把持部をさらに備えてもよい。
【００２５】
この態様によれば、軟組織に吸着した手術器具を一般的な鉗子で操作することができ、軟組織をより自由に操作することができる。
【００２６】
上記態様において、１又は複数の吸引部は、吸引口がメッシュで覆われていてもよい。
【００２７】
この態様によれば、１又は複数の吸引部によって軟組織を吸引する場合における応力の集中を防ぐことができ、軟組織の損傷を抑制することができる。
【発明の効果】
【００２８】
本発明によれば、腹腔鏡下で用いることができ、軟組織を傷付けづらく、軟組織を安定的に操作することを支援できる手術器具を提供することができる。
【図面の簡単な説明】
【００２９】
【図１】本発明の実施形態に係る手術器具の概略図である。
【図２】本発明の実施形態に係る手術器具の側面図である。
【図３】本発明の実施形態に係る手術器具の底面図である。
【図４】本発明の実施形態に係る手術器具の上面図である。
【図５】本発明の実施形態に係る手術器具と第１ポンプ及び第２ポンプとの接続を示す図である。
【図６ａ】本発明の実施形態に係る手術器具をアクチュエータによってたわませる前の第１状態を示す図である。
【図６ｂ】本発明の実施形態に係る手術器具をアクチュエータによってたわませた第２状態を示す図である。
【図６ｃ】本発明の実施形態に係る手術器具をアクチュエータによってたわませた第３状態を示す図である。
【図７】本発明の実施形態に係る手術器具により肝臓を把持する前の第１状態を示す図である。
【図８】本発明の実施形態に係る手術器具と第１ポンプとの接続を示す図である。
【図９】本発明の実施形態の第１変形例に係る手術器具と第１ポンプとの接続を示す図である。
【図１０】本発明の実施形態の第２変形例に係る手術器具と第１ポンプ及び第３ポンプとの接続を示す図である。
【発明を実施するための形態】
【００３０】
添付図面を参照して、本発明の実施形態について説明する。なお、各図において、同一の符号を付したものは、同一又は同様の構成を有する。
【００３１】
図１は、本発明の実施形態に係る手術器具１０の概略図である。同図では、本実施形態に係る手術器具１０を肝臓に吸着させて、鋏型鉗子１００で把持する様子を示している。ここで、肝臓は、手術器具１０による操作の対象となる軟組織の一例である。同図では、アクチュエータによって手術器具１０をたわみ変形させて、手術器具１０を肝臓の表面に沿うように変形させ、第１ポンプによって吸引管に陰圧を加えて、第１梁及び第２梁を硬化させるとともに、吸引部によって肝臓を吸着した状態を示している。手術器具１０は、鋏型鉗子１００によって把持される把持部１０ａを備える。これにより、軟組織に吸着した手術器具１０を一般的な鉗子で操作することができ、軟組織をより自由に操作することができる。また、鋏型鉗子１００によって把持部１０ａを把持し、軟組織を直接挟まないことで、軟組織の損傷を防ぐことができる。なお、本例では鋏型鉗子１００を示しているが、把持部１０ａを把持する鉗子としては、任意のものを用いることができる。
【００３２】
図２は、本発明の実施形態に係る手術器具１０の側面図である。手術器具１０は、長手方向に対する軸剛性が曲げ剛性よりも大きいな材質で形成された片持ちの第１梁１１と、第１梁１１に重ねて設けられ、長手方向に対する軸剛性が曲げ剛性よりも大きいな材質で形成された片持ちの第２梁１２と、吸引管１３に接続され、第１梁１１及び第２梁１２を覆うフィルム１４と、第１梁１１に設けられた１又は複数の吸引部１５と、を含む。ここで、長手方向に対する軸剛性が曲げ剛性よりも大きいとは、ある力を梁の長手方向に加えた場合の伸縮率が、同じ力を梁の先端の長手方向に直交する方向に加えた場合のたわみ角よりも小さいことを意味してよい。第１梁１１及び第２梁１２は、長手方向に対して実質的に伸縮しない材質で形成されてよく、例えばストリングを内包したゴムやビニールである合成皮革や、ベルト素材で形成されてよい。ここで、長手方向に対して実質的に伸縮しないとは、人が加えられる程度の応力（例えば数百ｋＰａ）を長手方向に与えた場合に、ひずみが０．０１程度よりも小さいことを意味してよい。本実施形態に係る手術器具１０の場合、第１梁１１及び第２梁１２を重ねた合計の厚さは、５ｍｍ程度である。第１梁１１のアクチュエータ１６が設けられる側の面は、フィルム１４と接着されていてよい。また、第２梁１２の吸引部１５が設けられる側の面は、フィルム１４と接着されていてよい。ただし、吸引部１５の吸引口は、フィルム１４によって覆われず、第１梁１１及び第２梁１２の間の空隙を介して吸引管１３に繋がっている。吸引部１５は、３ｍｍ程度の厚さである。
【００３３】
第１梁１１と第２梁１２の間の空隙は、吸引管１３に繋がっており、吸引管１３は、液体又は気体を吸う第１ポンプ４０に接続され、第１ポンプ４０により陰圧が加えられる。吸引管１３に陰圧が加えられることで、第１梁１１と第２梁１２の間の空隙に存在する気体又は液体が吸引され、第１梁１１と第２梁１２が密着することとなる。同時に、吸引部１５に吸引力が与えられる。フィルム１４により覆われた第１梁１１及び第２梁１２は、第１ポンプ４０により加えられる陰圧の大きさによって硬さが調整される。第１ポンプ４０により陰圧が加えられていない状態では、第１梁１１と第２梁１２の間に空隙が存在し、第１梁１１と第２梁１２はほとんど自由に屈曲変形できる。一方、第１ポンプ４０により陰圧が加えられると、第１梁１１と第２梁１２が密着し、第１梁１１と第２梁１２が一本の梁となる。第１梁１１と第２梁１２が密着して一本の梁となると、全体として梁の厚さが２倍となり、断面二次モーメントが増大することで、第１梁１１及び第２梁１２が曲げづらくなり、第１梁１１及び第２梁１２が実効的に硬くなる。第１梁１１及び第２梁１２の硬さは、第１梁１１と第２梁１２の密着度合いに応じて大きくなるため、第１ポンプ４０による陰圧の大きさによって、第１梁１１及び第２梁１２の硬さを調整することができる。また、第１ポンプ４０により陰圧が加えられると、長手方向に対する軸剛性が曲げ剛性よりも大きいな材質で形成された第１梁１１及び第２梁１２が圧縮されて、第１梁１１及び第２梁１２が実効的に硬くなる。第１梁１１及び第２梁１２の硬さは、第１梁１１及び第２梁１２を圧縮する圧縮力に応じて大きくなるため、第１ポンプ４０による陰圧の大きさによって、第１梁１１及び第２梁１２の硬さを調整することができる。
【００３４】
本実施形態に係る手術器具１０は、第２梁１２に設けられ、第２梁１２をたわみ変形させるアクチュエータ１６を備える。アクチュエータ１６は、第２ポンプ４２により加えられる液体又は気体の圧力によって動作する。アクチュエータ１６は、２ｍｍ程度の厚さであり、第２ポンプ４２によって加えられる正の圧力によって動作する。第２ポンプ４２によってアクチュエータ１６に正圧が加えられると、アクチュエータ１６には、長手方向に伸びる力が加わる。アクチュエータ１６は第２梁と接着されているため、アクチュエータ１６が長手方向に伸びると第２梁の上面に対して長手方向に伸びる力を加えることとなり、第２梁１２をたわみ変形させることとなる。
【００３５】
図３は、本発明の実施形態に係る手術器具１０の底面図である。同図では、第１梁１１の下面側を示しており、複数の吸引部１５の吸引口を図示している。複数の吸引部１５は、それぞれ吸引口の直径が５ｍｍ程度であり、８ｍｍ程度の間隔で５つ設けられている。第１梁１１及び第２梁１２の長さは４５ｍｍ程度であり、幅は６ｍｍ程度である。また、吸引管１３の取り付け位置から第１梁１１及び第２梁１２の先端までの距離は、６３ｍｍ程度となっている。もっとも、このような寸法は一例に過ぎず、任意に変更することができる。また、吸引部１５の形状も任意に変更することができる。
【００３６】
本実施形態に係る手術器具１０を軟組織に吸着させた後、吸引管１３をクリップ等で閉鎖して吸引部１５による吸引力を保ったまま、軟組織上に残すこともできる。すなわち、吸引管１３は、陰圧を保った状態で第１ポンプ４０から切り離し可能である。手術器具１０を軟組織上に残すことで、例えば従来の鋏型鉗子１００で把持部１０ａをつまんで操作することができる。従来の鋏型鉗子１００は、軟組織を直接つまむと軟組織を傷付けるおそれがあったが、軟組織に吸着させた手術器具１０の把持部１０ａをつまむことで、軟組織を傷付けずに、軟組織を間接的に把持したり、抑えたり、牽引したりといった操作を安定的に行うことができるようになる。また、手術器具１０を軟組織上に残すことで、従来の鉗子で手術器具１０を抑えたり押したりすることで、軟組織を間接的に抑えたり押したりする操作を安定的に行うことができるようになる。また、腹腔等の狭い空間であっても複数の手術器具１０によって軟組織を操作することができる。
【００３７】
１又は複数の吸引部１５は、吸引口がメッシュ１５ａで覆われていてよい。吸引部１５によって軟組織を吸引する場合、軟組織に加わる応力は、吸引口のエッジに集中することがある。このようにメッシュ１５ａを設けることで、１又は複数の吸引部１５によって軟組織を吸引する場合における応力の集中を防ぐことができ、軟組織の損傷を抑制することができる。
【００３８】
図４は、本発明の実施形態に係る手術器具１０の上面図である。同図では、アクチュエータ１６の上面側を示しており、複数の吸引部１５の吸引口を図示している。アクチュエータ１６は、第２梁１２に沿って延伸する蛇腹状の筒構造を有し、筒構造の延伸方向についての伸縮が、筒構造の径方向についての伸縮よりも容易となっている。アクチュエータ１６は、長さが４５ｍｍ程度であり、幅は６ｍｍ程度である。アクチュエータ１６は、第２梁１２とほぼ同じ長さ及び幅を有する。ただし、第２ポンプ４２によりアクチュエータ１６の筒構造の内部に正の圧力が加えられると、筒構造は長くなり、径も多少膨らむ。
【００３９】
アクチュエータ１６の筒構造は、筒状の延伸可能なゴムの周りをストリングで螺旋状に巻くことで形成されてよい。アクチュエータ１６の筒構造は、第２梁１２と接着され、第２ポンプ４２によって筒構造の内部に正の圧力が加えられて長手方向に伸びると、第２梁１２の上面に対して長手方向に伸びる力を加えることとなり、第２梁１２をたわみ変形させることとなる。このように、筒構造の伸長によって第２梁１２をたわみ変形させることで、アクチュエータ１６の構造を単純にすることができ、手術器具１０を小型化できる。
【００４０】
図５は、本発明の実施形態に係る手術器具１０と第１ポンプ４０及び第２ポンプ４２との接続を示す図である。同図では、腹腔鏡下で手術器具１０を用いる場合に、手術器具１０と第１ポンプ４０及び第２ポンプ４２がどのように配置されるかを示している。
【００４１】
手術器具１０は、シャフト３０の一部とともに腹腔内に挿入される。シャフト３０内部には、一端が吸引管１３に接続され、他端が第１ポンプ４０に接続される第１経路Ａと、一端がアクチュエータ１６に接続され、他端が第２ポンプ４２に接続される第２経路Ｂとが設けられている。本例の場合、第１ポンプ４０は、空気を吸引し、吸引管１３に陰圧を加えて、第１梁１１及び第２梁１２を密着させるとともに、吸引部１５に吸引力を与える。第２ポンプ４２は、空気を吐出し、アクチュエータ１６に正圧を加えて、第２梁１２及び第１梁１１をたわみ変形させる。手術器具１０を腹腔鏡下で使用する場合、手術器具１０及びシャフト３０を消毒する必要があるが、第１ポンプ４０及び第２ポンプ４２は無消毒で構わない。
【００４２】
図６ａ、図６ｂ及び図６ｃは、本発明の実施形態に係る手術器具１０をアクチュエータ１６によってたわみ変形させた状態を示す図である。図６ａは、第２ポンプ４２によって何ら圧力を加えず、第１梁１１及び第２梁１２をたわみ変形させていない第１状態を示す。図６ｂは、第２ポンプ４２によって３０ｋＰａの圧力を加えて、第１梁１１及び第２梁１２をたわみ変形させた第２状態を示す。図６ｃは、第２ポンプ４２によって６０ｋＰａの圧力を加えて、第１梁１１及び第２梁１２をさらにたわみ変形させた第３状態を示す。
【００４３】
図６ａ、図６ｂ及び図６ｃに示されるように、第２ポンプ４２によってアクチュエータ１６に圧力を加えると、アクチュエータ１６が設けられた側と反対側に第１梁１１及び第２梁１２がたわみ変形する。また、第２ポンプ４２によって加える圧力を増していくと、第１梁１１及び第２梁１２のたわみ変形量が増加する。このようにして、第１梁１１及び第２梁１２を任意の曲率に変形させることができる。なお、第１ポンプ４０によって陰圧を加えない限り、第１梁１１及び第２梁１２は容易に屈曲変形できる硬さのままである。
【００４４】
図７は、本発明の実施形態に係る手術器具１０により肝臓を把持する過程を示す図である。ここで、肝臓は、手術器具１０による操作の対象となる軟組織の一例である。同図では、手術器具１０をたわみ変形させず、硬化もさせずに肝臓に近付けた状態を示している。この後、第２ポンプ４２によってアクチュエータ１６に圧力を加えて、手術器具１０をたわみ変形させ、手術器具１０を肝臓の表面に沿うように変形させる。そして、第１ポンプ４０によって吸引管１３に陰圧を加えて、第１梁１１及び第２梁１２を硬化させるとともに、吸引部１５によって肝臓を吸着する。その後、吸引管１３を第１ポンプ４０から切り離して、シャフト３０を手術器具１０から切り離すと、図１に示した状態となる。
【００４５】
このように、本実施形態に係る手術器具１０によれば、長手方向に対する軸剛性が曲げ剛性よりも大きいな第１梁１１及び第２梁１２を、軟組織に沿うように配置して、第１ポンプ４０により加えられる陰圧によって第１梁１１及び第２梁１２を硬化させるとともに、吸引部１５によって軟組織を吸着して把持することで、軟組織の損傷を抑えつつ、軟組織を安定的に操作することができる。本実施形態に係る手術器具１０は、小型のため容易に腹腔内に導入することができ、従来の鋏型鉗子では達成できなかった軟組織の安定的な操作を実現することができる。
【００４６】
また、本実施形態に係る手術器具１０は、アクチュエータ１６を備えて、軟組織に沿うように第２梁１２をたわみ変形させることで、第２梁１２と重畳して設けられた第１梁１１も軟組織に沿うようにたわみ変形され、第１梁１１に設けられた吸引部１５によって軟組織を確実に吸着できるようになる。さらに、アクチュエータ１６が液体又は気体の圧力によって動作することで、腹腔鏡下で使用した場合であっても、腹腔内を汚染するおそれが低くなる。
【００４７】
図８は、本発明の実施形態に係る手術器具１０と第１ポンプ４０との接続を示す図である。本実施形態に係る手術器具１０は、吸引管１３が第１ポンプ４０に接続され、第１梁１１及び第２梁１２の間の空隙と、吸引部１５とに第１ポンプ４０によって陰圧が加えられる。ここで、第１梁１１及び第２梁１２の間の空隙は、吸引部１５の開口に通じており、吸引管１３と吸引部１５は、同じ経路で第１ポンプ４０に接続されている。
【００４８】
本実施形態に係る手術器具１０は、第１ポンプ４０による吸引経路の途中にエアホール３２を備える。手術器具１０の使用者は、エアホール３２を指で押さえることで、吸引経路を密閉して、第１ポンプ４０による陰圧を吸引管１３及び吸引部１５に加えることができる。エアホール３２を開放すると、第１ポンプ４０による陰圧が吸引管１３及び吸引部１５に伝えられず、第１梁１１及び第２梁１２が弛緩し、吸引部１５による吸引が行われなくなる。もっとも、第１ポンプ４０により吸引管１３及び吸引部１５に陰圧を加えるための構造は、エアホール３２に限られず、例えば開閉可能なバルブを設けることとしてもよい。
【００４９】
図１０は、本発明の実施形態の第１変形例に係る手術器具１０と第１ポンプと４０の接続を示す図である。本変形例に係る手術器具１０は、吸引管１３が第１経路Ｐ１で第１ポンプ４０に接続され、吸引部１５が第２経路Ｐ２で第１ポンプ４０に接続されている点で本実施形態に係る手術器具と相違する。その他の構成について、本変形例に係る手術器具１０は、本実施形態に係る手術器具と同様の構成を備える。
【００５０】
本変形例に係る手術器具１０では、１又は複数の吸引部１５は、吸引管１３と異なる経路で第１ポンプ４０に接続され、第１ポンプ４０により陰圧が加えられる。このように、吸引部１５が、吸引管１３と異なる経路で第１ポンプ４０に接続されることで、第１梁１１及び第２梁１２の界面に血液等が入り込むことが無くなるため、吸引部１５から血液等の液体が吸引される場合であっても、第１梁１１及び第２梁１２の界面に血液等が入り込んで第１梁１１及び第２梁１２の間の密着性が低下して第１梁１１及び第２梁１２の硬度が低下することが防止され、第１ポンプ４０によって吸引管１３及び吸引部１５に陰圧を加えている間、第１梁１１及び第２梁１２の硬度が一定に保たれる。
【００５１】
図１１は、本発明の実施形態の第２変形例に係る手術器具１０と第１ポンプ４０及び第３ポンプ４４との接続を示す図である。本変形例に係る手術器具１０は、吸引管１３が第１ポンプ４０に接続され、吸引部１５が第３ポンプ４４に接続されている点で本実施形態に係る手術器具と相違する。その他の構成について、本変形例に係る手術器具１０は、本実施形態に係る手術器具と同様の構成を備える。
【００５２】
本変形例に係る手術器具１０では、１又は複数の吸引部１５は、液体又は気体を吸う第３ポンプ４４に接続され、第３ポンプ４４により陰圧が加えられる。このように、吸引部１５が、第１ポンプ４０と別体の第３ポンプ４４に接続されることで、第１梁１１及び第２梁１２の硬さ調整と独立して吸引部１５の吸引力を調整することができる。
【００５３】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００５４】
１０…手術器具、１０ａ…把持部、１１…第１梁、１２…第２梁、１３…吸引管、１４…フィルム、１５…吸引部、１５ａ…メッシュ、１６…アクチュエータ、２０…接続部、３０…シャフト、３２…エアホール、４０…第１ポンプ、４２…第２ポンプ、４４…第３ポンプ、１００…鋏型鉗子
【図１】
2019146785.tif 000003
【図２】
2019146785.tif 000004
【図３】
2019146785.tif 000005
【図４】
2019146785.tif 000006
【図５】
2019146785.tif 000007
【図６ａ】
2019146785.tif 000008
【図６ｂ】
2019146785.tif 000009
【図６ｃ】
2019146785.tif 000010
【図７】
2019146785.tif 000011
【図８】
2019146785.tif 000012
【図９】
2019146785.tif 000013
【図１０】
2019146785.tif 000014